(57)【要約】【課題】  記録媒体の経年劣化を検出する際の、記録媒体のフォーマットや再生装置の個体差による影響を小さくする。【解決手段】  ＤＶＤドライブはＤＶＤディスクに記憶された情報を読み出す。制御部は読み出された情報からディスク劣化情報を求める。ディスク劣化情報はＤＶＤディスクを個体識別するための管理情報と共に記憶部に記憶され、制御部はこの管理情報とディスク劣化情報から推定寿命を求める。【選択図】  図１２
2007080363.tif 000002
【特許請求の範囲】
【請求項１】
記録媒体に記憶された情報を読み出すための記録媒体再生部と、
前記記録媒体に記憶された前記情報に対して前記記録媒体再生部によって読み出された前記情報が誤って読み出された量を示す指標を求めるための制御部と、
前記記録媒体再生部によって読み出された情報のうち前記記録媒体を個体識別するための管理情報と、前記指標とを記憶するための記憶部とが設けられ、
前記制御部は、記憶された前記指標を用いて前記管理情報によって個体識別される前記記録媒体の寿命に関する予測情報を求めることを特徴とする再生装置。
【請求項２】
前記記憶部は、さらに前記管理情報によって個体識別される前記記録媒体が再生された回数を記憶するために設けられ、
前記制御部は、さらに前記回数を用いて前記予測情報を求めることを特徴とする請求項１に記載の再生装置。
【請求項３】
前記記憶部は、さらに前記管理情報によって個体識別される前記記録媒体が再生された際の時間に関する時間情報を記憶するために設けられ、
前記制御部は、さらに前記時間情報を用いて前記予測情報を求めることを特徴とする請求項１または請求項２に記載の再生装置。
【請求項４】
前記制御部は、前記予測情報と他の再生装置にて記憶された指標を用いて求められた他の再生装置における予測情報との差に基づいて、前記予測情報を補正することを特徴とする請求項１乃至請求項３のいずれか１項に記載の再生装置。
【請求項５】
記録媒体に記憶された情報を読み出し、
前記記録媒体に記憶された情報に対して読み出された前記情報が誤って読み出された量を示す指標を求め、
読み出された前記情報のうち前記記録媒体を個体識別するための管理情報と、前記指標とを記憶し、
記憶された前記指標を用いて前記管理情報によって個体識別される前記記録媒体の寿命に関する予測情報を求めることを特徴とする記録媒体の寿命予測方法。
【請求項６】
さらに前記管理情報によって個体識別される前記記録媒体が再生された回数を記憶し、
前記予測情報を、さらに前記回数を用いて求めることを特徴とする請求項５に記載の記録媒体の寿命予測方法。
【請求項７】
さらに前記管理情報によって個体識別される前記記録媒体が再生された際の時間に関する時間情報を記憶し、
前記予測情報を、さらに前記時間情報を用いて求めることを特徴とする請求項５に記載の記録媒体の寿命予測方法。
【請求項８】
前記指標と、以前に保存された前記指標との関係が、あらかじめ定められた関係より誤って読み出された量が多い関係であった場合、外乱による異常に関する異常情報を求めることを特徴とする請求項５乃至請求項８のいずれか１項に記載の記録媒体の寿命予測方法。
【発明の詳細な説明】
【技術分野】
【０００１】
本発明は、情報が記録された記録媒体の再生に係る再生装置、および再生装置にて再生される記録媒体の寿命予測方法に関する。
【背景技術】
【０００２】
最近、動画像や音声を記録再生するための装置として、ＤＶＤ−ＲＡＭやＤＶＤ±ＲＷに代表される光ディスクなどの着脱可能な記録媒体（メディア）を取り扱う再生装置が開発されている。更に、光ディスクなどの着脱可能な記録媒体とハードディスクのように装置に内蔵された記録媒体とを同時に取り扱うことが可能な記録再生装置が開発されている。光ディスクは、着脱可能でありディジタル記録で長期保存にも適しており、大量のディスクをライブラリとして保管する使われ方が増えてきている。
【０００３】
また、着脱可能な記録媒体は光学的な方法で記録再生する光ディスクのほかに、磁気的な方法で記録再生される例えばハードディスク等の磁気ディスクや、電子的な方法で記録再生される例えばＥＥＰＲＯＭ等の半導体メモリ等が使用される。
【０００４】
このような記録媒体は情報の長期保存に適しているが、保存環境等により記録媒体の劣化が進み、最悪の場合は再生装置にて再生できず、記録されている情報が取り出せなくなるという問題がある（非特許文献１）。
【０００５】
このような、記録媒体の劣化をあらかじめ予測するために、記録媒体のパリティセクタに記録されているパリティデータを用いて記録媒体の経年劣化や埃等によるデータ品質の劣化かどうかを検出するマルチメディアディスクレコーダが開発されている（特許文献１）
【非特許文献１】「長期保存のための光ディスク媒体に関する調査研究  報告書」財団法人機会システム振興協会  ２００４年３月
【特許文献１】特開平９−４５０１３号公報
【発明の開示】
【発明が解決しようとする課題】
【０００６】
しかし、記録媒体の経年劣化や埃等によって、マルチメディアディスクレコーダの読み出すデータ品質の劣化は、マルチメディアディスクレコーダの読み込み性能、すなわち外乱に対する耐性の固体差により大きく異なる。
【０００７】
従って、記録媒体のパリティセクタに記録されているパリティデータを用いて記録媒体の経年劣化を判断しようとした場合、マルチメディアディスクレコーダの個体差による影響と真の記録媒体の経年劣化による影響を切り分けて検出することができない。
【０００８】
また、パリティセクタに記録されているパリティデータを用いることは、記録媒体のフォーマットに影響する。従って、標準化されたフォーマットやデファクトスタンダートとなったフォーマットがパリティデータを保存可能なフォーマットでない場合、パリティデータを用いて検出することができない。
【０００９】
本発明は、このような事情を鑑みてされたもので、記録媒体の経年劣化を検出する際、記録媒体のフォーマットや再生装置の個体差による影響がより小さい再生装置および記録媒体の寿命予測方法を提供することを目的とする。
【課題を解決するための手段】
【００１０】
上記目的を達成するために、本発明の再生装置は、記録媒体に記憶された情報を読み出すための記録媒体再生部と、前記記録媒体に記憶された前記情報に対して前記記録媒体再生部によって読み出された前記情報が誤って読み出された量を示す指標を求めるための制御部と、前記記録媒体再生部によって読み出された情報のうち前記記録媒体を個体識別するための管理情報と、前記指標とを記憶するための記憶部とが設けられ、前記制御部は、記憶された前記指標を用いて前記管理情報によって個体識別される前記記録媒体の寿命に関する予測情報を求めることを特徴とする。
【００１１】
また、本発明の記録媒体の寿命予測方法は、記録媒体に記憶された情報を読み出し、前記記録媒体に記憶された情報に対して読み出された前記情報が誤って読み出された量を示す指標を求め、読み出された前記情報のうち前記記録媒体を個体識別するための管理情報と、前記指標とを記憶し、記憶された前記指標を用いて前記管理情報によって個体識別される前記記録媒体の寿命に関する予測情報を求めることを特徴とする。
【発明の効果】
【００１２】
記録媒体の経年劣化を検出する際、記録媒体のフォーマットや再生装置の個体差による影響がより小さい再生装置および記録媒体の寿命予測方法を提供することができる。
【発明を実施するための最良の形態】
【００１３】
以下、本発明の実施の形態を図面を参照して説明する。
【００１４】
（本発明の第１の実施の形態）
図１は本発明の第１の実施の形態に係る再生装置の概略構成図である。
【００１５】
図１において、再生装置の一例である光ディスク記録再生装置は、ＴＶチューナ１１と、映像・音声符号化部１２と、切り替え部１３と、ＤＶＤドライブ１５と、ハードディスク部１７を有している。
【００１６】
ＴＶチューナ１１は、受信した信号を変調して得られた映像・音声信号を供給するために設けられている。映像・音声符号化部１２は、ＴＶチューナ１１から供給された映像・音声信号を符号化するために設けられている。なお、ＴＶチューナ１１に替えて、またはＴＶチューナ１１と共に、図示しない外部入力端子を設けることができる。
【００１７】
記録媒体再生部であるＤＶＤドライブ１５と、ハードディスク部１７は、映像・音声符号化部１２にて符号化された映像・音声信号を記録するために設けられている。切り替え部１３は、符号化された映像・音声信号をＤＶＤドライブ１５とハードディスク部１７のいずれか、または両方を用いて記録するかを切り換えるために設けられている。
【００１８】
ＤＶＤドライブ１５は、ＤＶＤディスクＤへ符号化された映像・音声信号を記録するために設けられている。また、ハードディスク部１７は、図示しない磁気ディスクへ符号化された映像・音声信号を記録するために設けられている。
【００１９】
また、ＤＶＤドライブ１５と、ハードディスク部１７は、記録された符号化された映像・音声信号再生するために設けられている。切り替え部１３は、符号化された映像・音声信号をＤＶＤドライブ１５またはハードディスク部１７のいずれかを用いて再生するかを切り替えるために設けられている。
【００２０】
更に、ＤＶＤドライブ１５またはハードディスク部１７にて再生された符号化された映像・音声信号を復号化する映像・音声復号部１４を有している。映像・音声復号部１４から出力された再生映像および再生音声は、図示しないディスプレイやスピーカ等に供給され、それぞれ映像、音声として再生される。又、後述するライブラリ情報や残量表示画面も表示信号としてディスプレイ等に表示される。
【００２１】
ＴＶチューナ１１、映像・音声符号化部１２、切り替え部１３、映像・音声復号部１４は、制御バス２０を介して相互に接続されている。また、ＤＶＤドライブ１５、ハードディスク部１７は、切り替え部１３に接続されている。制御部であるマイクロコンピュータブロック１８は、制御バス２０に接続されている。マイクロコンピュータブロック１８は、ＴＶチューナ１１、映像・音声符号化部１２、切り替え部１３、映像・音声復号部１４、ＤＶＤドライブ１５、ハードディスク部１７を制御するために設けられている。
【００２２】
ユーザインタフェース部１９はマイクロコンピュータブロック１８に接続されている。ユーザインタフェース部１９は、ユーザからの操作を制御信号へと変換するために設けられている。
【００２３】
なお、ライブラリ情報や残量表示画面の操作情報は、光ディスク記録再生装置に設けられた表示画面（図示しない）に表示することも好適であり、同等の作用効果を発揮するものである。
【００２４】
このような構成をもつ光ディスク記録再生装置において、ＴＶチューナ１１または外部入力端子から入力された映像信号及び音声信号は、映像・音声符号化部１２において、映像はＭＰＥＧ−２圧縮符号化され、音声はあらかじめ選択されたモードに応じてＬＰＣＭ（Ｌｉｎｅａｒ  ＰＣＭ）やドルビーＡＣ−３方式などにより符号化される。符号化された映像信号および音声信号（情報）は切り替え部１３を経由して、ＤＶＤドライブ１５を介してＤＶＤディスクＤに記録されるかまたはハードディスク部１７に記録される。
【００２５】
一方、再生時にはＤＶＤディスクＤからＤＶＤドライブ１５を介してまたはハードディスク部１７から切り替え部１３に再生データが供給され、映像・音声復号部１４において復号化されて映像信号および音声信号が出力される。ユーザインタフェース部１９はキー入力や画面表示を担当する。マイクロコンピュータブロック１８は、さらにＭＰＵ、ＲＯＭ、ＲＡＭ、ライブラリ情報管理部、ディスク管理部、などから構成され、制御バス２０を介して全体の制御を行う。
【００２６】
ＤＶＤディスクＤには、映像・音声データとともに、管理情報が記録される。ハードディスク部１７には、映像・音声データと管理情報に加えて、ライブラリ情報及びディスク管理情報も記録される。
【００２７】
本実施の形態に係る光ディスク記録再生装置では、ＤＶＤディスクＤと磁気ディスクという２つの記録媒体と切り替え部１３を搭載していることにより、たとえば一方の記録媒体に録画しながら他方の記録媒体から再生するなど、種々の便利な機能を実現することができる。
【００２８】
次に、記録媒体の寿命に関する予測情報について説明する。記録媒体の寿命に関する予測情報とは、後述する推定寿命やメッセージ、推定寿命が予め定められた基準以下かどうかの判断結果、近似関係等の情報を指す。
【００２９】
本実施の形態では、ディスク劣化情報を記憶するための記憶部にハードディスク部１７を用いる例について説明するが、ハードディスク部１７に替えてマイクロコンピュータブロック１８を構成するＲＡＭや、別途設けられた図示しない不揮発性メモリなどを用いることができる。ここで、ディスク劣化情報とは、記録媒体に記憶された情報に対してＤＶＤドライブ１５と、ハードディスク部１７によって読み出された情報が誤って読み出された量を示す指標である。
【００３０】
ハードディスク部１７に記憶されるライブラリ情報、及びディスク管理情報について述べる。
【００３１】
図２はハードディスク部１７に記録されるライブラリ情報ファイルの内容を示す図である。ライブラリ情報ファイルにはライブラリ情報が記録される。
【００３２】
ここで、ＮＬはライブラリ（タイトル）の件数である。タイトル１件当たりの、作成日時、録画日時・曜日、チャンネル、ジャンル、タイトル名、画質モード（ＳＰ、ＬＰ、マニュアル、ジャスト）、ビットレート（映像のビットレート）、音質（ＬＰＣＭ、ドルビーＡＣ−３など）、ディスク識別番号、表示ディスク番号、タイトル識別番号が記録される。これらがライブラリタイトル数ＮＬだけ記録されている。
【００３３】
又、図３はハードディスク部１７に記憶されるディスク管理情報ファイルの内容を示す図である。ディスク管理情報ファイルにはディスク管理情報が記録される。
【００３４】
ここで、ＮＤはディスク管理情報ファイルに登録されているＤＶＤディスクＤの枚数である。ディスク１枚当たりの、ディスク識別番号、表示ディスク番号、ディスク名、ディスク残量情報、ディスク劣化情報が記録される。これらが登録されたＤＶＤディスクＤの枚数ＮＤだけ記録されている。
【００３５】
また、表示ディスク番号とは、表示するためにＤＶＤディスクＤを初期化する時に自動的にまたはユーザが付加する番号である。たとえば、「００１」「００１Ａ」「００１Ｂ」が、面指定なしのディスク番号００１、ディスク番号００１のＡ面、ディスク番号００１のＢ面、をそれぞれ表す様に付加することができる。
【００３６】
ディスク識別番号とは、各ＤＶＤディスクＤに固有の番号で、すなわち各ＤＶＤディスクＤを個体識別するための管理情報である。ディスク識別番号は、ＤＶＤディスクＤにあらかじめまたはＤＶＤディスクＤを初期化する時などに記録されている。ディスク識別番号はＤＶＤドライブ１５によって符号化された映像信号および音声信号と共にＤＶＤディスクＤから読み出され、ユーザの目に触れることはなく、ＤＶＤディスクＤの識別に用いられる。
【００３７】
タイトル識別番号とは、タイトルを一意に識別するために付加した番号であり、録画時などに付加される。これはＤＶＤディスクＤ側にもタイトルごとに記録されている。なお、タイトル識別番号を省略してその他のタイトル情報の一致を検索することによってタイトルの識別を行っても良い。
【００３８】
このように、本実施形態では、ディスク管理情報ファイルに、ＤＶＤディスクＤ１枚ごとのディスク劣化情報が記憶されている。なお、本実施の形態の様にＤＶＤディスクＤ１枚ごとにディスク劣化情報を記憶するかわりに、タイトルごとにディスク劣化情報を記憶することもできる。
【００３９】
また、ハードディスク１７に関する情報も、このライブラリ情報ファイルやディスク管理情報ファイルに登録するが、別途管理するようにしても差し支えない。
【００４０】
ここで、説明の便宜上、ライブラリ情報とは、現在挿入されていないＤＶＤディスクＤを含むＤＶＤディスクＤのタイトル（またはＤＶＤディスクＤ）に関する情報をも、ライブラリ情報と呼ぶ。また、ライブラリ情報とは、ライブラリ情報ファイルに記録されている内容のみならず、ディスク管理情報ファイルに記録されている情報を併用して表示可能な情報、たとえばディスク名をもライブラリ情報と呼ぶ。
【００４１】
なお、本実施形態ではライブラリ情報とディスク管理情報を異なるファイルに記録しているが、同じファイルに保存しても差し支えない。
【００４２】
次に、ライブラリ情報の表示について説明する。ライブラリ情報は前述の通り、ディスプレイ等に表示される。
【００４３】
ユーザインタフェース部１９に設けられた「ライブラリ」キーを押下することにより、ライブラリ画面が起動される。図４はライブラリの表示画面の例を示している。ライブラリ表示画面では、タイトル１件ごとに、表示ディスク番号（図４中ではディスク番号と表示）、録画年月日・曜日・時分、チャンネル、ジャンル、タイトル名を、それぞれ１件１行で表示している。ここでは、録画年月日の新しい順に並べて表示している。これは、ライブラリ情報ファイルから読み出されたものである。
【００４４】
図５はライブラリ情報の表示中のクイックメニューを示している。クイックメニューとは、ユーザインタフェース部１９に設けられた操作キーの一つである「クイック」キーを押すと、現在の状況で可能な操作のリストが一覧表示されるものである。ライブラリ情報の表示中は、「タイトル情報」「ディスク情報」「ディスク別表示」「ジャンル別表示」「曜日別表示」「ライブラリ管理」「ＤＶＤ全ディスク残量表示」「ＤＶＤ全ディスク劣化情報」「戻る」という各項目が表示される。このうち、「ＤＶＤ全ディスク劣化情報」が本発明に関わるので以下で詳しく説明し、他についてはここでは説明を省略する。なお、他については、例えば特開２００３−１５１２４４に示すように表示することができる。
【００４５】
ディスク劣化情報の表示の詳細について説明する。
【００４６】
図５に示すクイックメニューで「ＤＶＤ全ディスク劣化情報」を選択することにより、ディスク管理情報ファイルに登録されているＤＶＤディスクＤに関するディスク劣化情報の一覧画面が起動される。図６はディスク劣化情報の一覧画面の例を示している。ディスク劣化情報の一覧画面では、ＤＶＤディスクＤ１枚ごとに、表示ディスク番号（図６中ではディスク番号と表示）、タイトル名、推定寿命、必要に応じてメッセージが表示される。これらは、ライブラリ情報ファイル及びディスク管理情報ファイルから読み出された情報、またはライブラリ情報ファイル及びディスク管理情報ファイルから読み出された情報を加工して得られた情報である。
【００４７】
表示ディスク番号ごとの推定寿命は、同一のＤＶＤディスクＤに保存されているタイトルが１つの場合は、そのタイトルに関する推定寿命を表示する。同一のＤＶＤディスクＤに保存されているタイトルが複数の場合は、推定寿命の代表値を表示する。推定寿命の代表値には、同一のＤＶＤディスクＤに保存されている複数のタイトルうち最も推定寿命が短いタイトルに関する推定寿命、または同一のＤＶＤディスクＤに保存されている複数のタイトルに関する推定寿命の平均値を用いることができる。また、いずれか一方の推定寿命の代表値を用いるかを、ユーザが選択できるような設定項目を設けたり、両方の推定寿命の代表値を表示したりすることができる。
【００４８】
推定寿命（推定寿命の代表を含む）が、予め定められた基準、例えば１年以下となったＤＶＤディスクＤについては、メッセージを該当する表示ディスク番号、推定寿命と共に表示する。メッセージには、例えばバックアップを促すメッセージや点滅表示や色を変更しての表示等の強調表示を用いることができる。また、後述する推定寿命算出の結果、ＤＶＤディスクＤの汚れが原因と推定された場合は、ＤＶＤディスクＤのクリーニング等を促すメッセージを表示する。
【００４９】
このように、表示ディスク番号およびタイトル名と並べて推定寿命が表示すると、どのタイトルがどのくらいで再生できなくなりそうか、ユーザにわかりやすい表示となる。
【００５０】
図７はＤＶＤディスクＤに関するディスク劣化情報の一覧画面表示中のクイックメニューの一例を示している。ここでのクイックメニューでは、「推定寿命が短い順で表示」「推定寿命が１年以下を表示」「戻る」という項目が表示される。ここでのクイックメニューでそれぞれを選択することによって、これらの内容についての表示に切り替えることができる。図７はＤＶＤディスクＤに関するディスク劣化情報の一覧画面が、表示ディスク番号順で表示されていう場合のクイックメニューの一例である。「推定寿命が短い順で表示」「推定寿命が１年以下を表示」を選択した場合のクイックメニューは項目を変更することができる。
【００５１】
図８はＤＶＤディスクＤに関するディスク劣化情報の一覧画面表示中のクイックメニューにて、「推定寿命が短い順で表示」を選択した場合に、表示が切り替えられた場合の例を示すす図である。図８に示す通り、推定寿命の代表値（同一のＤＶＤディスクＤに保存されているタイトルが１つの場合は推定寿命）の短い順に並べ替えて表示されている。なお、図８の表示とは逆の順序に表示を切り替えることができる、推定寿命の長い順に表示するモードを設けることができる。
【００５２】
図９はＤＶＤディスクＤに関するディスク劣化情報の一覧画面表示中のクイックメニューにて、「推定寿命が１年以下を表示」選択した場合に、表示が切り替えられた場合の例を示すす図である。図９に示す通り、推定寿命の代表値（同一のＤＶＤディスクＤに保存されているタイトルが１つの場合は推定寿命）が１年以下の推定寿命が短いＤＶＤディスクＤに関する情報のみを選択的に表示することができる。すなわち、推定寿命が短いＤＶＤディスクＤに関する情報のみを選択的に表示することで、ユーザはバックアップをしたほうが良いタイトルを把握し易くなる。
【００５３】
図１０はライブラリ情報と推定寿命を関連づけて表示する動作を説明するフローチャートである。まず、図５に示すライブラリ情報の表示中のクイックメニューから、ユーザインタフェース部１９を通じて「ＤＶＤ全ディスク劣化情報」が選択される（Ｓ１１）。
【００５４】
次に、マイクロコンピュータブロック１８は、ハードディスク部１７に保存されたライブラリ情報ファイルとディスク管理情報ファイルから、ライブラリ情報が既にマイクロコンピュータブロック１８内部のＲＡＭへ読み込み済みで、ＲＡＭにライブラリ情報が保持されているかどうかを判断する（Ｓ１２）。
【００５５】
ライブラリ情報が読み込まれておらず、ＲＡＭにライブラリ情報が保持されていないとマイクロコンピュータブロック１８が判断した場合、ハードディスク部１７に保存されたライブラリ情報ファイルとディスク管理情報ファイルから、ライブラリ情報をマイクロコンピュータブロック１８内部のＲＡＭへ読み込む（Ｓ１３）。ライブラリ情報が既に読み込み済みで、ＲＡＭにライブラリ情報が保持されているとマイクロコンピュータブロック１８が判断した場合、Ｓ１３の読み込み動作をスキップする。
【００５６】
次に、「ＤＶＤ全ディスク劣化情報」の表示モードに従って、次の１件を検索する（Ｓ１４）。ここでの表示モードとは、ＤＶＤディスクＤに関するディスク劣化情報の一覧画面が、表示ディスク番号順で表示されるモード、推定寿命が短い順で表示されるモード、推定寿命が１年以下を表示するモードを指す。また、次の１件とは、推定寿命がまだ表示されていない表示ディスク番号またはタイトル名のうち、この後の工程にて推定寿命を表示する予定のものを指す。
【００５７】
続いて、検索された次の１件に関するディスク劣化情報を、ディスク管理情報ファイルを検索し、マイクロコンピュータブロック１８内部のＲＡＭへ読み込む（Ｓ１５）。ここで、ディスク管理情報ファイルの検索は、ディスク識別番号を元に行うことができる。次の１件が表示ディスク番号の場合は、この表示ディスク番号が該当するディスク識別番号をライブラリ情報ファイルから取得し、ディスク識別番号をキーとして検索することができる。次の１件がタイトル名の場合には、同様にこのタイトル名が該当するディスク識別番号をライブラリ情報ファイルから取得し、ディスク識別番号をキーとして検索することができる。
【００５８】
そして、ディスク劣化情報から推定寿命を計算する（Ｓ１６）。推定寿命の計算の詳細は後述する。
【００５９】
求められた推定寿命を、表示するライブラリ情報と共に、「ＤＶＤ全ディスク劣化情報」画面に組み合わせて表示する（Ｓ１７）。この表示の結果、次の１件に関する表示を完了し、画面１ページの表示件数に達したかどうかを判断する（Ｓ１８）。すなわち、マイクロコンピュータブロック１８は、表示すべき全ての推定寿命が表示されたかどうかを判断する。表示されていないと判断した場合は、次の１件を表示を完了していない１件に変更し、Ｓ１４に戻る。
【００６０】
表示されていると判断した場合は、マイクロコンピュータブロック１８は他のページを表示するかどうかを判断する（Ｓ１９）。この判断は、例えばユーザインターフェース１９からの入力に従って行うことができる。表示すると判断した場合は、Ｓ１４に戻って、他のページに関して同じ動作を繰り返す。
【００６１】
表示しないと判断した場合は、「ＤＶＤ全ディスク劣化情報」の表示を終了するかどうか、ユーザインターフェース１９からの入力を待ち（Ｓ２０）、終了の指示が入力されたら「ＤＶＤ全ディスク劣化情報」の表示を終了する。
【００６２】
このように、ＤＶＤドライブ１５に挿入されていないＤＶＤディスクＤも含めて、ＤＶＤディスクＤの内容と関連づけて推定寿命を表示することができる。また、並べ替えや絞り込み表示が行えるため、どのＤＶＤディスクＤが再生不可能になる危険が高く、バックアップを行うかの指針を与えることができる。これによりユーザは自分の保有するディスクの保護を容易に行うことが可能となる。
【００６３】
次に、ＤＶＤディスクＤの推定寿命の算出方法、およびＤＶＤディスクＤの推定寿命の算出に用いるディスク劣化情報について説明する。
【００６４】
ディスク劣化情報は、ＤＶＤドライブ１５にてＤＶＤディスクＤを再生する際に得られるエラー数を元に設定し、ハードディスク部１７に記憶（保存）する。ここでエラー数とは、ＤＶＤディスクＤに記憶された情報に対してＤＶＤドライブ１５によって読み出された情報が誤って読み出された量である。エラー数には、例えばＤＶＤ±ＲやＤＶＤ±ＲＷではＰＩエラーとＰＯエラー、ＤＶＤ−ＲＡＭではＢＥＲと呼ばれる値を用いることができる。
【００６５】
まず、ＰＩエラーについて説明する。図１１はＤＶＤ±ＲやＤＶＤ±ＲＷのデータ構造を模式的に表した図である。
【００６６】
メディアにはＥＣＣブロック１０１という単位で情報が書き込まれている。このＥＣＣブロック１０１は２０８列のブロック列に分けられる。ブロック列はＲＯＷ１０２と呼ばれ、データ１０３（１７２バイト）とＰＩ情報１０４（１０バイト）の２つから構成される。このＲＯＷ１０２に１バイト以上の間違いがあると、そのＲＯＷはＰＩエラー値として加算される。そのため、ＥＣＣブロック１０１の全列のＰＩ情報１０４がエラーとなるとＰＩエラー値は２０８となる。なお、このＲＯＷ１０２内のＰＩエラーはＰＩ情報１０４を用いて訂正することが可能である。
【００６７】
ＤＶＤの規格では、どんな場所の連続する８つのＥＣＣブロック内においても、ＰＩエラー値（エラー訂正前）の合計が２８０を超えてはいけないと規定されている。従って、通常ＰＩエラーの測定は、８ＥＣＣブロック１０１のＰＩエラー値の合計値を用いる。
【００６８】
次に、ＰＯエラーについて説明する。
【００６９】
１つのＥＣＣブロック１０１内の１つのＲＯＷ１０２（長さ１８２バイト）に、ＰＩ情報１０４を用いてエラーを訂正した後にも、５バイト以上のエラーが含まれている場合を、「ＰＩ修復不能エラー」あるいは「ＰＯエラー」あるいは「ＰＩＦ（ＰＩ  Ｆａｉｌｕｒｅ）エラー」と呼ぶ。ＰＯ情報１０５はＥＣＣブロック１０１の後ろから１６列のＲＯＷ１０２にて構成される。ＰＩＦエラーは、ＰＯ情報１０５を用いて訂正できる可能性がある。
【００７０】
ＰＯ情報１０５によってエラーを訂正できなかった場合を、「ＰＯＦ（ＰＯ  Ｆａｉｌｕｒｅ）エラー」と呼ぶ。ＰＯＦエラーが発生した場合、その部分は読み取ることが出来ず、ＤＶＤディスクＤを再生する際の致命的なエラーとなる場合がある。
【００７１】
ＤＶＤの規格では、ＥＣＣブロック１０１内においてＰＩＦエラーＲＯＷの数が４つを超えるべきではないと規定されている。従って、通常ＰＩＦエラーの測定は、１ＥＣＣブロック１０１のＰＩＦエラーの合計値を用いる。よって、１ＥＣＣブロック１０１内のＰＩＦエラーの最大値は２０８となる。
【００７２】
続いて、ＢＥＲに（バイトエラーレート）ついて説明する。
【００７３】
ＢＥＲはランダムエラーで１バイトのエラーの起こる確率を示す。ＤＶＤ−ＲＡＭではＰＩエラーを定義していないので、ＰＩエラー２８０相当として９×１０Ｅ−４を用いている。ＢＥＲがこれ以下であればエラーの訂正が可能である。
【００７４】
ディスク劣化情報の取得について説明する。ＤＶＤディスクＤに記録された情報を再生すると、ＤＶＤドライブ１５から再生された情報をもとにエラー数を取得することができる。その再生動作の間に得られるエラー数の平均値や最大値、予め定められた周期にてサンプリングされたエラー数の平均値など、エラー数の代表値をディスク劣化情報として用いることができる。
【００７５】
取得されたディスク劣化情報は、必要に応じて再生を開始から終了までのいずれかの時刻（再生時刻）、再生を終了した時刻、再生時間、再生回数のうち、少なくともいずれか１つと共にハードディスク部１７のディスク管理情報ファイルに保存することができる。保存されたディスク劣化情報は、前述したＳ１５においてマイクロコンピュータブロック１８によって読み取られる。
【００７６】
ディスク劣化情報には上述したＰＩエラー、ＰＯエラー、ＢＥＲのいずれを使用しても構わない。また、いずれか１つばかりでなく、複数を組み合わせて使用してもかまわない。
【００７７】
ＰＩエラーはエラー訂正する前の情報であるため、ＤＶＤディスクＤの劣化を反映し易いというメリットがある。しかし、ＰＩエラーは情報量が多いため、マイクロコンピュータブロック１８のＣＰＵに高い処理能力、ＲＡＭに大きな容量を必要とする。
【００７８】
一方、ＰＯエラーはエラー訂正後の訂正不可能なエラー数であるため、ＤＶＤディスクＤの劣化を直接は反映しにくい。しかし、致命的なエラーのみをカウントするため情報量が少なくいため、マイクロコンピュータブロック１８への負荷が小さいというメリットがある。
【００７９】
ここで、ＰＩエラー、ＰＯエラー、ＢＥＲそれぞれのエラー数の代表値をディスク劣化情報に用いた場合の、ＤＶＤディスクＤの寿命との関係について説明する。上述したように、それぞれのエラー数がエラー訂正不可能なほどエラー数が多くなると予想された場合に、ＤＶＤディスクＤはその予想された時点において寿命をむかえると予想する。すなわち、ＰＩエラーの場合は２８０、ＰＯエラーの場合は４、ＢＥＲは９×１０Ｅ−４、またはこれらの値にマージンを見込んだ値（以降、クライテリアと呼ぶ）に到達すると予想された時点において寿命をむかえると予想する。
【００８０】
保存されたディスク劣化情報をもとに、ＤＶＤディスクＤが寿命をむかえる時点、すなわち推定寿命を計算する方法について説明する。図１２は再生時刻を用い、推定寿命として寿命をむかえる時点までの経過時間を算出する例を示すフローチャートである。しかし、再生時刻に替えて再生時間を用い、推定寿命として寿命をむかえる時点までの残存再生時間を算出したり、再生時刻に替えて再生された回数をカウントし、推定寿命として寿命をむかえる時点までの残存再生回数を算出したりすることもできる。
【００８１】
Ｓ１６にて推定寿命を計算するステップを迎えた場合、マイクロコンピュータブロック１８は推定寿命の計算を開始する（Ｓ２１）。
【００８２】
まず、ディスク管理情報ファイルから推定寿命の計算に必要な保存されたディスク劣化情報と再生時刻をマイクロコンピュータブロック１８のＲＡＭへ読み込む（Ｓ２２）。なお、Ｓ１５において読み込んだディスク劣化情報がマイクロコンピュータブロック１８のＲＡＭに残っている場合には、ディスク劣化情報の読み込みは不要である。
【００８３】
次に、光ディスク記録再生装置の内部に設けられている図示しない内蔵時計から、現在時刻（年月日を含む）をマイクロコンピュータブロック１８のＲＡＭへ読み込む（Ｓ２３）。
【００８４】
ここで、図１３に読み込まれたディスク劣化情報と、再生時刻から求められる最初の記録時点からの経過時間と、の関係を示す。マイクロコンピュータブロック１８は、ディスク劣化情報と経過時間との関係を関数に近似する。近似をして得られたディスク劣化情報と経過時間との近似関係から、エラー数の代表値がクライテリアに達する再生時刻（予想）を算出する（Ｓ２４）。これは、図１３に示す近似関係を示すグラフの線と、クライテリアを示す線との交点における経過時間から求められる。近似には、例えば１次関数や２次関数、指数関数などの関数の近似式を用いることができる。
【００８５】
算出されたクライテリア（限界）に達する再生時刻（予想）と現在時刻との差より、推定寿命を算出する（Ｓ２５）。推定寿命が予め定められた警告時間以内かどうかを判断し（Ｓ２６）、警告時間以内でなければ、そのまま推定寿命の計算を終える。一方、警告時間以内であれば、外乱による異常の可能性があるかどうかを判断する（Ｓ２７）。
【００８６】
具体的には、保存されているディスク劣化情報から、前回に保存されたエラー数の代表値と、今回測定されたエラー数の代表値との差が、あらかじめ定められた設定値より多きく、また前回に保存されたエラー数の代表値より今回測定されたエラー数の代表値の方が、エラーの多い場合の値であった場合、外乱による異常の可能性があると判断する。外乱には、例えばＤＶＤディスクＤの汚れやＤＶＤドライブ１５の振動等があげられる。また予め定められた設定は、例えばＰＩエラーの代表値を用いた場合、１００とすることができる。
【００８７】
マイクロコンピュータブロック１８が外乱による異常の可能性があると判断しない場合は、算出された推定寿命が妥当であると判断し、バックアップを促す等のメッセージを表示する（Ｓ２８）。
【００８８】
一方、マイクロコンピュータブロック１８が外乱による異常の可能性があると判断した場合は、外乱による異常の可能性がある旨の情報（異常情報）が求められたとして、例えばＤＶＤディスクＤのクリーニングを促す等の外乱による異常の可能性についてのメッセージを表示する（Ｓ２９）。
【００８９】
図１４は推定寿命を算出する際に、ディスク劣化情報と再生回数を用いた場合を示した図である。ディスク劣化情報と再生回数を用いる場合、例えばディスク管理情報ファイルには、再生回数を保存することができる。また、ディスク管理情報ファイルには上述の通り再生時刻を保存し、再生時刻が保存された回数をカウントし、再生回数としてそのカウントされた値を用いることもできる。
【００９０】
図１５は推定寿命を算出する際に、ディスク劣化情報と再生時間を用いた場合を示した図である。ディスク劣化情報と再生時間を用いる場合、例えばディスク管理情報ファイルには、再生時間を保存することができる。また、ディスク管理情報ファイルには再生開始時刻と再生終了時刻を保存し、再生開始時刻と再生終了時刻から再生時間を算出することもできる。
【００９１】
図１６は、推定寿命を算出する際に、ディスク劣化情報と再生時間を用いた場合に、外乱による異常が発生した場合の例を示した図である。このように、急激にエラー数の代表値がエラーが多い値側へ変化した場合には、前述の通り外乱による異常の可能性についてのメッセージを表示する。
【００９２】
このように、本発明の第１の実施の形態に係る光ディスク記録再生装置および寿命予測方法は、ディスク劣化情報をディスク管理情報ファイルにディスク識別番号ごとに蓄積し、ディスク劣化情報と経過時間や再生回数、再生時間との関係を関数に近似し、推定寿命を算出するので、光ディスク再生装置の個体差による影響が小さい。すなわち、光ディスク再生装置の外乱に対する耐性に個体差があっても、その光ディスク再生装置における推定寿命を精度よく算出することができる。
【００９３】
また、ＤＶＤディスクＤがＤＶＤドライブ１５にて再生される際に得られる情報に基づいてディスク劣化情報を得るため、別途パリティセクタを必要としない。従って、ＤＶＤディスクＤのフォーマット方式に関わらず、推定寿命を算出することができる。
【００９４】
また、複数のＤＶＤディスクＤについて、それぞれＤＶＤディスクＤを挿入することなしに、推定寿命を確認することができる。特に、登録されているＤＶＤディスクＤについて、推定寿命を複数表示することでユーザは保有しているＤＶＤディスクＤの劣化状態を的確に把握することができる。
【００９５】
（本発明の第２の実施の形態）
図１７は本発明の第２の実施の形態に係る再生装置の追加機能を示すフローチャートである。本発明の第２の実施の形態では、ユーザが一方の再生装置に替えて、他の再生装置を用いる場合に、一方の再生装置にて保存されているディスク劣化情報を他の再生装置へと移動が可能な光ディスク記録再生装置について説明する。
【００９６】
エラー数の代表値は、ＤＶＤドライブ１５の個体差により、同一のＤＶＤディスクＤを再生した場合、ＤＶＤドライブ１５によってそれぞれ異なった値を示す。そこで、一方の光ディスク記録再生装置にて保存されているディスク劣化情報を他の光ディスク記録再生装置へと移動する際、その個体差による影響を低減する方法について説明する。
【００９７】
まず、一方の光ディスク記録再生装置にて保存されているディスク劣化情報を他の光ディスク記録再生装置へと移動する方法について説明する。
【００９８】
一方の光ディスク記録再生装置に保存されているディスク劣化情報を含むディスク管理情報ファイルと、ライブラリ情報ファイルを、ＤＶＤディスクＤへコピーする。その後、このＤＶＤディスクＤから、他の光ディスク記録再生装置のＤＶＤドライブ１５を用いて、ディスク管理情報ファイルとライブラリ情報ファイルをハードディスク部１７へコピーする。この様にして、一方の光ディスク記録再生装置にて保存されているディスク劣化情報を他の光ディスク記録再生装置へと移動することができる。
【００９９】
次に、他の光ディスク記録再生装置にて、推定寿命を算出する方法について説明する。図１７は移動されたディスク劣化情報を用いて推定寿命を算出する例を示すフローチャートである。
【０１００】
他の光ディスク記録再生装置にて、推定寿命の算出の開始する（Ｓ３１）。推定寿命の算出は、例えば本発明の第１の実施の形態にて説明したライブラリ情報の表示中のクイックメニューから、ユーザインタフェース部１９を通じて「ＤＶＤ全ディスク劣化情報」が選択される際に行うことができる。このとき推定寿命が算出される対象は、ＤＶＤドライブ１５に挿入されているＤＶＤディスクＤである。
【０１０１】
推定寿命の算出を開始したら、マイクロコンピュータブロック１８は、ＤＶＤドライブ１５に挿入されているＤＶＤディスクＤが他の光ディスク記録再生装置にて初めて再生されるかどうかについて判断する（Ｓ３２）。すなわち、ＤＶＤディスクＤに記録されているタイトルについて、他の光ディスク記録再生装置にて、推定寿命が算出されたことがある場合は、図１７に示す推定寿命の算出を終了し、本発明の第１の実施の形態にて説明した推定寿命の算出方法にて、推定寿命を算出する。一方、ＤＶＤディスクＤに記録されているタイトルについて、他の光ディスク記録再生装置にて、推定寿命が算出されたことがない場合は、以下に示す方法にて推定寿命を算出する。
【０１０２】
ＤＶＤドライブ１５に挿入されているＤＶＤディスクＤが他の光ディスク記録再生装置にて初めて再生される場合、すなわちＤＶＤディスクＤに記録されているタイトルについて、他の光ディスク記録再生装置にて、推定寿命が算出されたことがない場合、マイクロコンピュータブロック１８は、ＤＶＤドライブ１５に挿入されたＤＶＤディスクＤに該当するディスク劣化情報を、移動されたディスク管理情報ファイルより取得する（Ｓ３３）。
【０１０３】
移動されたディスク管理情報ファイルより取得されたディスク劣化情報（以下、過去のディスク劣化情報と呼ぶ）から、現在の時刻（または再生時間、再生回数）において推定されるエラー数の代表値を求める（Ｓ３４）。
【０１０４】
なお、現在の時刻は、光ディスク記録再生装置の内部に設けられている図示しない内蔵時計から、現在時刻（年月日を含む）から取得することができる。また、推定されるエラー数の代表値は、図１８に示す様に、本発明の第１の実施の形態と同様に過去のディスク劣化情報について関数に近似し、得られたディスク劣化情報と経過時間（または再生時間、再生回数）との近似関係から求めることができる。具体的には、例えばこの近似をして得られた関係式に、現在時刻を代入して得られた値を、推定されるエラー数の代表値として用いることができる。
【０１０５】
マイクロコンピュータブロック１８は、ＤＶＤドライブ１５に挿入されているＤＶＤディスクＤについての、他の光ディスク再生装置におけるエラー数の代表値を、ＤＶＤドライブ１５から再生された情報をもとに取得する（Ｓ３５）。
【０１０６】
推定されるエラー数の代表値と他の光ディスク再生装置におけるエラー数の代表値を元に、過去のディスク劣化情報について関数に近似し、得られたディスク劣化情報と経過時間（または再生時間、再生回数）との近似関係を補正する（Ｓ３６）。補正は例えば、推定されるエラー数の代表値と他の光ディスク再生装置におけるエラー数の代表値の差を取り、過去のディスク劣化情報に、この差分を加算（または減算）して、新たなディスク劣化情報としてディスク劣化情報を更新して実現できる。
【０１０７】
補正されたディスク劣化情報を用いて、本発明の第１の実施の形態と同様の方法にて、推定寿命を算出する（Ｓ３７）。
【０１０８】
このように、本発明の第２の実施の形態に係る光ディスク記録再生装置および寿命予測方法は、ディスク劣化情報をディスク管理情報ファイルにディスク識別番号ごとに蓄積し、ディスク劣化情報と経過時間や再生回数、再生時間との関係を近似し、推定寿命を算出するので、光ディスク再生装置の個体差による影響が小さい。すなわち、光ディスク再生装置の外乱に対する耐性に個体差があっても、その光ディスク再生装置における推定寿命を精度よく算出することができる。
【０１０９】
また、ＤＶＤディスクＤがＤＶＤドライブ１５にて再生される際に得られる情報に基づいてディスク劣化情報を得るため、別途パリティセクタを必要としない。従って、ＤＶＤディスクＤのフォーマット方式に関わらず、推定寿命を算出することができる。
【０１１０】
また、複数のＤＶＤディスクＤについて、それぞれＤＶＤディスクＤを挿入することなしに、推定寿命を確認することができる。特に、登録されているＤＶＤディスクＤについて、推定寿命を複数表示することでユーザは保有しているＤＶＤディスクＤの劣化状態を的確に把握することができる。
【０１１１】
また、一方の光ディスク記録再生装置にて保存されているディスク劣化情報を他の光ディスク記録再生装置へと移動する際、その個体差による寿命予測への影響を低減することができる。
【０１１２】
なお、本実施の形態では、推定寿命の表示を表示ディスク番号及びタイトル名と組み合わせて表示したが、タイトル名を表示しなくても有用であることには変わりない。表示する項目は適宜追加したり、入れ替えたり適宜行うことができる。
【０１１３】
また、本実施の形態では、ＤＶＤドライブ１５とハードディスク部１７の両方を備えていたが、ハードディスク部１７に替えて、またはハードディスク部１７と共に、不揮発性メモリ部を設け、ライブラリ情報ファイルやディスク管理情報ファイルを記憶しても構わない。
【０１１４】
また、記録媒体は、ＤＶＤディスク１５に限るものではなく、たとえばフラッシュメモリなどを内蔵したメモリカードやハードディスクを用いることができる。すなわち、推定寿命を算出する対象を、メモリカードやハードディスクとすることができる。
【０１１５】
また、本実施の形態ではエラー数としてＰＩエラー、ＰＯエラー、ＢＥＲの３種類について説明したが、他のエラーの量を表す値を用いても構わない。例えば、現在規格化が進められているＨＤ ＤＶＤでは、推定寿命の算出に用いるエラー数としてＳｂＥＲ（Ｓｉｍｕｌａｔｅｄ  ｂｉｔ  Ｅｒｒｏｒ  Ｒａｔｅ）やＰＲＳＮＲ（Ｐａｒｔｉａｌ  Ｒｅｓｐｏｎｓｅ  Ｓｉｇｎａｌ  ｔｏ  Ｎｏｉｓｅ  Ｒａｔｉｏ）を用いることができる。
【０１１６】
また、劣化が進み推定寿命が短くなったＤＶＤディスクＤやタイトルを自動的に他の記憶媒体にバックアップを行う機能を設けることができる。バックアップを行う機能を設けることにより、ユーザのバックアップ取り忘れによるデータの喪失を防ぐことが出来る。
【図面の簡単な説明】
【０１１７】
【図１】本発明の第１の実施の形態に係る再生装置の概略構成図
【図２】本発明の第１の実施の形態に係るライブラリ情報ファイルの内容を示す図
【図３】本発明の第１の実施の形態に係るディスク管理情報ファイルの内容を示す図
【図４】本発明の第１の実施の形態に係るライブラリの表示画面の例を示す図
【図５】本発明の第１の実施の形態に係るライブラリ情報の表示中のクイックメニューの例を示す図
【図６】本発明の第１の実施の形態に係るディスク劣化情報の一覧画面の例を示す図
【図７】本発明の第１の実施の形態に係るディスク劣化情報の一覧画面表示中のクイックメニューの例を示す図
【図８】本発明の第１の実施の形態に係るディスク劣化情報の一覧画面の例を示す図
【図９】本発明の第１の実施の形態に係るディスク劣化情報の一覧画面の例を示す図
【図１０】本発明の第１の実施の形態に係るライブラリ情報と推定寿命を関連づけて表示する動作を説明するフローチャート
【図１１】本発明の第１の実施の形態に係るＤＶＤ±ＲやＤＶＤ±ＲＷのデータ構造を模式的に表した図
【図１２】本発明の第１の実施の形態に係る推定寿命を算出する例を示すフローチャート
【図１３】本発明の第１の実施の形態に係るディスク劣化情報と最初の記録時点からの経過時間との関係を示す図
【図１４】本発明の第１の実施の形態に係るディスク劣化情報と再生回数との関係を示す図
【図１５】本発明の第１の実施の形態に係るディスク劣化情報と再生時間との関係を示す図
【図１６】本発明の第１の実施の形態に係るディスク劣化情報と再生時間との関係を示す図
【図１７】本発明の第２の実施の形態に係る再生装置の追加機能を示すフローチャート
【図１８】本発明の第２の実施の形態に係る再生装置の追加機能を説明する図
【符号の説明】
【０１１８】
１１  ＴＶチューナ
１２  映像・音声符号化部
１３  切り替え部
１４  映像・音声復号部
１５  ＤＶＤドライブ
１７  ハードディスク部
１８  マイクロコンピュータブロック
１９  ユーザインタフェース部
２０  制御バス
１０１  ＥＣＣブロック
１０２  ＲＯＷ
１０３  データ
１０４  ＰＩ情報
１０５  ＰＯ情報
【図１】
2007080363.tif 000003
【図２】
2007080363.tif 000004
【図３】
2007080363.tif 000005
【図４】
2007080363.tif 000006
【図５】
2007080363.tif 000007
【図６】
2007080363.tif 000008
【図７】
2007080363.tif 000009
【図８】
2007080363.tif 000010
【図９】
2007080363.tif 000011
【図１０】
2007080363.tif 000012
【図１１】
2007080363.tif 000013
【図１２】
2007080363.tif 000014
【図１３】
2007080363.tif 000015
【図１４】
2007080363.tif 000016
【図１５】
2007080363.tif 000017
【図１６】
2007080363.tif 000018
【図１７】
2007080363.tif 000019
【図１８】
2007080363.tif 000020